(57)【特許請求の範囲】
【請求項１】
光源から射出された光を映像信号に応じて変調し投写光を投写する画像投写部と、該画像投写部から投写される投写光を反射するミラーとが配置された筐体を有するプロジェクタであって、
前記筐体は、前記投写光を投写する投写口を有する前面と、該前面に対向する背面とで挟まれる側面のうち前記ミラーが配置された側の側面を第１の側面、前記画像投写部が配置された側の側面であって前記第１の側面に対向する側面を第２の側面としたとき、前記第１の側面における前面から背面への方向の奥行Ｄ１と前記第２の側面における前面から背面への方向の奥行Ｄ２との関係が、Ｄ２＜Ｄ１となる形状を有し、
前記背面には凹部が設けられており、前記前面から背面への奥行きの方向である第１の方向と、前記第１の側面と前記第２の側面が対向する方向である第２の方向との、両者の方向に直交する方向である第３の方向に前記凹部が延伸するように構成したことにより、前記プロジェクタと他のプロジェクタを壁または天井である平面に沿って前記第３の方向に並べて設置した場合に、前記プロジェクタの背面と前記壁または前記天井である前記平面を合わせて設置した状態のまま前記他のプロジェクタの電源ケーブルを前記凹部を介して前記第３の方向に配線することが可能なように構成した、
ことを特徴とするプロジェクタ。
【請求項２】
請求項１に記載のプロジェクタであって、
前記投写口を覆う防塵カバーを備えることを特徴とするプロジェクタ。
【請求項３】
請求項１に記載のプロジェクタであって、
前記前面が傾斜面で構成されていることを特徴とするプロジェクタ。
【請求項４】
請求項３に記載のプロジェクタであって、
前記傾斜面がほぼ中央で屈曲し、２つの面で構成されていることを特徴とするプロジェクタ。
【請求項５】
請求項１に記載のプロジェクタであって、
前記画像投写部は、
光源を有する光学ユニットと、
該光学ユニットが有する光源からの光を外部からの映像信号に応じて変調する光変調装置と、
該光変調装置で得られた映像光を合成するプリズムと、
該プリズムからの映像光の歪補正を行うレンズユニットと、
該レンズユニットからの映像光を投写する投写レンズと、
からなることを特徴とするプロジェクタ。
【発明の詳細な説明】
【技術分野】
【０００１】
本発明は、プロジェクタに係り、特に狭い空間に設置可能なプロジェクタの構造、およびそれを用いた映像投写方法に関する。
【背景技術】
【０００２】
会議やプレゼンテーション等の用途に映像を拡大して投写するプロジェクタが広く用いられている。また、近年、投写面までの投写距離を短くして、スペースを有効活用できる超短焦点プロジェクタも製品化されている。
【０００３】
本技術分野の背景技術として、特開２０１３−１２２４９１号公報（特許文献１）がある。特許文献１には、非球面ミラーを備える超短焦点投写系を有することで投写距離の短い机上投写を可能としたプロジェクタおよびこのプロジェクタにより床面投写や壁面投写を行うことが開示されている。また、そのプロジェクタの筐体には投写光学系１１０から出射される光を通す投写口２１０が設けられる。また、投写光学系１１０、照明光学系１２０、ＤＭＤ(Digital Micromirror Device)７０、反射プリズム８０を有し、さらに、投写光学系１１０は、投写レンズ群１１１、および反射ミラー１１２を有する。投写レンズ群１１１は、ＤＭＤ７０から出射された色成分光を反射ミラー１１２側に出射する構成が開示されている。
【先行技術文献】
【特許文献】
【０００４】
【特許文献１】特開２０１３−１２２４９１号公報
【発明の概要】
【発明が解決しようとする課題】
【０００５】
プロジェクタによって投写する映像を、会議やプレゼンテーション以外の用途に用いることが考えられる。例えば、ホテルやショップ等に空間の雰囲気を演出するための環境映像等を表示することが考えられる。
【０００６】
一方で、同様の目的で、ムードのある空間を演出するために照明としての間接照明がある。間接照明とは、直接光源が見えないようにして、壁や天井などに光を当て、反射光で室内を照らす照明であり、文字通り間接的に照明することでやさしい明かりとなり、ムードのある空間を演出するのに適している。
【０００７】
間接照明の手法として、例えば、以下のような手法がある。１つは、天井を照らす間接照明であって、天井への間接照明の手法の一種であるコーブ照明がある。これは、天井の隅や壁にくぼみや庇を設け、その内部に光源（照明器具）を隠して、天井面に柔らかな光を拡散させる照明手法である。また、上部から壁面を照らす間接照明であるコーニス照明がある。これは、天井と壁のコーナーに光源を遮蔽する回り縁をつけ、壁面を間接照明で照らす方法である。
【０００８】
このように、間接照明のための建造物の構造である、くぼみや庇、回り縁等の一般的な間接照明構造部分に、プロジェクタを収めることができれば、照明の代わりに映像を表示することができ、より効果的な空間演出が可能となる。その際、課題となるのが、本来、照明器具が設置される間接照明構造部分のような狭い空間に設置可能とし、設置した際にプロジェクタ本体を見えにくくする小型化が可能なプロジェクタ構造である。
【０００９】
特許文献１には、上記課題である、狭い空間に設置可能とし、設置した際にプロジェクタ本体を見えにくくする小型化の点について考慮されていない。
【００１０】
本発明は、上記課題を解決するものであり、特に、一般的な間接照明構造部分に設置可能なプロジェクタを提供することである。
【課題を解決するための手段】
【００１１】
上記課題を解決するために、例えば、特許請求の範囲に記載の構成を採用する。本発明は、上記課題を解決する手段を複数含んでいるが、その一例を挙げるならば、光源から射出された光を映像信号に応じて変調し投写光を投写する画像投写部と、画像投写部から投写される投写光を反射するミラーとが配置された筐体を有するプロジェクタであって、筐体は、投写光を投写する投写口を有する前面と、前面に対向する背面とで挟まれる側面のうちミラーが配置された側の側面を第１の接地面、画像投写部が配置された側の第１の接地面に対向する側面を第２の接地面としたとき、第１の接地面の前面から背面までの奥行Ｄ１と第２の接地面の前面から背面までの奥行Ｄ２との関係が、Ｄ２＜Ｄ１となる形状を有する構成とする。
【発明の効果】
【００１２】
本発明によれば、一般的な間接照明構造部分に設置可能なプロジェクタを提供することが出来る。
【図面の簡単な説明】
【００１３】
【図１】実施例１におけるプロジェクタの斜視図である。
【図２】実施例１におけるプロジェクタの前面からみた上面図である。
【図３】図２のＡ−Ａ断面における断面図である。
【図４】図２のＢ−Ｂ断面における断面図である。
【図５】実施例２におけるプロジェクタの斜視図である。
【図６】実施例２におけるプロジェクタの前面からみた上面図である。
【図７】図６のＣ−Ｃ断面における断面図である。
【図８】実施例３におけるプロジェクタを複数台連結した外観図である。
【図９】実施例３におけるプロジェクタの連結設置時の背面の斜視図である。
【図１０】実施例４におけるコーブ照明に対応した天井への投写を行う場合の設置状態断面図である。
【図１１】実施例４におけるコーブ照明に対応した天井への投写を行う場合のプロジェクタを２台連結した設置状態斜視図である。
【図１２】実施例４における折上げ天井部へ２台のプロジェクタの映像投写面を「二」の字連結した設置状態斜視図である。
【図１３】実施例４における折上げ天井部へ４台のプロジェクタの映像投写面を「田」の字連結した設置状態斜視図である。
【図１４】実施例４におけるコーニス照明に対応した壁への投写を行う場合の設置状態断面図である。
【図１５】実施例４におけるコーニス照明に対応した壁への投写を行う場合のプロジェクタを２台連結した設置状態斜視図である。
【図１６】実施例４における間接照明用の照明配置空間から壁への投写を行う他の場合の設置状態断面図である。
【図１７】図１６の設置状態斜視図である。
【図１８】実施例４における間接照明用の照明配置空間から床面への投写を行う場合の設置状態断面図を示している。
【図１９】図１８の設置状態斜視図である。
【図２０】実施例４におけるプロジェクタを壁に設置し壁への投写を行う場合の設置状態断面図である。
【図２１】図２０の設置状態斜視図である。
【図２２】実施例４におけるプロジェクタを机上設置した状態の断面図である。
【図２３】図２２の設置状態斜視図である。
【図２４】実施例５におけるプロジェクタを複数台用いて投写する場合の表示例である。
【図２５】実施例５における床面への投写の場合の表示例である。
【図２６】一般的な間接照明に用いる照明設置部分の構造図である。
【発明を実施するための形態】
【００１４】
以下、図面を用いて本発明の実施例について説明する。
【実施例１】
【００１５】
まず、本発明の前提となる、一般的な間接照明の設置構造について説明する。
【００１６】
図２６は、一般的な間接照明に用いる照明設置部分の構造図である。図２６において、（Ａ）は、天井への間接照明の一種であるコーブ照明における構造図とその概略寸法を示している。９００は天井、９０１は壁を示しており、９０２が照明９０３を配置する庇部分の長さであり、その推奨値が約１５０ｍｍである。また、庇部分から上へ延びる縁部分の高さ９０４が約４０ｍｍ、縁部分と天井との開口部高さ９０５は１５０ｍｍ以上である。また、（Ｂ）は、上部から壁面を照らす間接照明であるコーニス照明における構造図とその概略寸法を示している。天井９００から立ち下がる縁の高さ９０６は約１５０ｍｍ、縁の最下部から壁９０１側に伸びる庇の先端から壁９０１までの開口部の幅９０７は１００〜２００ｍｍである。
【００１７】
よって、これらの一般的な間接照明に用いる構造部分の概略寸法に対応して、それに設置可能なプロジェクタを提供する必要がある。
【００１８】
図１に本実施例におけるプロジェクタの斜視図を示す。図１において、プロジェクタ１００は、後述する光変調装置で得られた映像がレンズユニットを介して、投写レンズ１０１からミラー１０２に投写される。投写レンズ１０１からの投写光は、ミラー１０２の表面で反射されて投写光用の投写口１０３から拡大投写される。ミラー１０２で反射された投写光はプロジェクタ１００の投写口側の前面１０４の斜め方向に投写され、例えば、スクリーンや壁面や机やテーブルなどの表面に投写されて、映像光を形成する。ミラー１０２は、レンズユニットとミラーからなる光学系で、プロジェクタから映像投写面までの距離が短くても、歪が無く十分拡大された映像を表示可能な投写性能を確保できればよいので、任意の形状が可能であるが、例えば凸面ミラーや平面ミラーでもよい。ミラー１０２で反射された投写光は拡大されて投写されるため、その光路と干渉しないように投写口内に干渉回避部として窪み１０５を設けている。なお、１５０は電源のオン／オフ等の操作を行う操作部、１５１は投写表示される画像を外部から入力するための端子部、１５２は装置内部の空気の排気を行う排気口、また、図示しないが、排気口の対向する面に吸気口を備える。また、１５３は脚部であって、脚部１５３側を下にして、脚部１５３をスライドすることでプロジェクタ１００を使用可能と出来るようになっている。また、１５４は後述する連結用凹部である。
【００１９】
図２にプロジェクタ１００の前面からみた上面図を示す。図２において、１１０はＬＥＤやレーザ等からなる光源を有する光学ユニット、１１１は光学ユニット１１０が有する光源からの光を外部からの映像信号に応じて変調する光変調装置であって、例えば、マイクロミラーや反射型液晶パネルからなる反射式や、透過式の液晶パネル等からなる。光変調装置１１１で得られた映像光は、プリズム１１２で合成され、複数のレンズからなるレンズユニット１１３を介して、投写レンズ１０１からミラー１０２に投写される。また、１１４は電源部である。なお、レンズユニット１１３は、映像の拡大投写に伴う各種の歪み、例えば、斜め入射による歪みや台形歪みなどを補正するために必要な、回転対称でない自由曲面形状のレンズ等を含めて、各種のレンズを含んで構成されている。また、光学ユニット１１０、光変調装置１１１、プリズム１１２、レンズユニット１１３、投写レンズ１０１とをまとめて画像投写部と呼ぶ。
【００２０】
図３に図２のＡ−Ａ断面における断面図を示す。投写レンズ１０１からの投写光はミラー１０２で反射されプロジェクタ１００の投写口側の前面１０４から斜め方向に投写される。よって、ミラー１０２はプロジェクタの前面１０４に対して斜めに配置されている。また、投写口１０３は防塵のために透明な防塵カバー１１５を備えている。
【００２１】
また、図４に図２のＢ−Ｂ断面における断面図を示す。ミラー１０２で反射された投写光の光路と干渉しないための干渉回避部としての窪み１０５は、それを形成する面１１６も、ミラー１０２に対応してプロジェクタの前面１０４に対して斜めに形成されている。
【００２２】
ここで、図３に示すように、プロジェクタ１００の筐体において、投写口１０３がある面を前面１０４、その対向する面を背面１２０と定義し、前面と背面で挟まれる側面のうちミラー１０２の配置されている側の側面を第１の接地面１３０、光学ユニット１１０または、光学ユニット１１０、光変調装置１１１、プリズム１１２、レンズユニット１１３、投写レンズ１０１からなる画像投写部が配置されている側の第１の接地面１３０と対向する側面を第２の接地面１４０と定義する。また、第１の接地面１３０と第２の接地面１４０との距離を高さＨと定義する。この状態で、第１の接地面１３０の前面から背面までの奥行Ｄ１と第２の接地面１４０の前面から背面までの奥行Ｄ２との関係が、Ｄ２＜Ｄ１の関係となるような外観形状とする。
【００２３】
言い換えれば、プロジェクタ１００は直方体ではなく、前面が傾斜面で構成されており、第１、第２の接地面以外の側面が台形形状となっている。
これにより、プロジェクタを第１の接地面１３０で設置した時、接地面１３０側斜め下からの視線に対して対向する第２の接地面１４０の奥行が狭いことで、本体を見えにくくすることができる。
【００２４】
また、ミラー１０２で反射された投写光の光路はミラー１０２から離れるにしたがって拡大されるので、奥行Ｄ１とＤ２が同じ場合に比べて、Ｄ２を小さくすることで、光路と干渉しないための投写口とミラー１０２との距離を近づけることができ、前面１０４上の投写口の面積を小さくできる。また、光路と干渉しないように投写口内に設けた窪み１０５の幅も同様の理由により小さくできるので、図２に示すように、投写口幅Ｗ２を小さくできる。よって、本実施例によるプロジェクタは小型化が可能になる。
【００２５】
なお、前述した、一般的な間接照明に用いる構造部分の概略寸法に対応して、本実施例におけるプロジェクタ１００は、高さＨは、コーブ照明の場合の、縁高さ４０ｍｍ＋開口部高さ１５０ｍｍ＝１９０ｍｍ以下で、コーニス照明の場合を考慮すると、１２０ｍｍ程度が望ましい。また、幅Ｗは約３５０ｍｍ、奥行Ｄ１は約９０ｍｍ、Ｄ２は約４０ｍｍ程度が望ましい。
【００２６】
また、プロジェクタの筐体における前面、背面、側面は平面ではなくて曲面でもよいが、構造を簡単にでき、またシンプルな形状で違和感がない形状を望むならば平面が望ましい。
【００２７】
以上のように、本実施例は、光源から射出された光を映像信号に応じて変調し投写光を投写する画像投写部と、画像投写部から投写される投写光を反射するミラーとが配置された筐体を有するプロジェクタであって、筐体は、投写光を投写する投写口を有する前面と、前面に対向する背面とで挟まれる側面のうちミラーが配置された側の側面を第１の接地面、画像投写部が配置された側の第１の接地面に対向する側面を第２の接地面としたとき、第１の接地面の前面から背面までの奥行Ｄ１と第２の接地面の前面から背面までの奥行Ｄ２との関係が、Ｄ２＜Ｄ１となる形状を有する構成とする。
【００２８】
また、光学ユニットからの光を外部からの映像信号に応じて変調し投写し、投写した光を反射するミラーを有し、ミラーを介して外部に投写する投写口とを備えたプロジェクタであって、プロジェクタの筐体において、投写口を備えた前面と隣り合った面であって、ミラーを配置した側の第１の接地面と、光学ユニットを配置した側の第１の接地面と対向する第２の接地面の前面から対向する背面への奥行寸法をそれぞれＤ１、Ｄ２としたとき、Ｄ２がＤ１よりも小さく形成された構成とする。
【００２９】
本実施例によれば、間接照明構造部分に、プロジェクタを収めることが可能となる。これにより、光だけでなく映像も表示することができ、より効果的な空間演出が可能となる。また、プロジェクタが、間接照明構造部分に収まるので、目線の位置からプロジェクタを見えにくくすることが可能となり、外観の見栄えが向上する。
【実施例２】
【００３０】
本実施例はさらに小型化を図った例について説明する。なお、実施例１と同じ機能は同じ符号をつけ、その説明は省略する。
【００３１】
図５，６，７に本実施例におけるプロジェクタ２００の外観図を示す。図５は斜視図、図６はプロジェクタ２００の前面からみた上面図、図７は図６のＣ−Ｃ断面における断面図である。
【００３２】
図５において、実施例１の図１と異なる点は、プロジェクタ２００の投写口２０３側の前面が２つの傾きの異なる面２０１、２０２で構成されている点である。すなわち、図７に示すように、図１の前面１０４に対して、その前面のほぼ中央部分の屈曲ポイントＢＰで奥行き方向に屈曲する２つの傾きの異なる面２０１、２０２で構成されている。これにより、実施例１に比べて、光路と干渉しないための面２０２上での投写口２０３とミラー１０２との距離をより近づけることができるので、面２０２上の投写口２０３の面積を小さくでき、光路と干渉しないように投写口内に設けた窪み２０５の幅も小さくでき、図２に示すように、投写口幅Ｗ４を小さくできる。なお、面２０１、２０２は平面ではなくて曲面でもよいが、構造を簡単にでき、またシンプルな形状で違和感がない形状を望むならば平面が望ましい。また、実施例１と同様に、投写口２０３は防塵のために透明な防塵カバー２１５を備えている。
【００３３】
よって、本実施例によるプロジェクタはより小型化が可能になる。
【実施例３】
【００３４】
本実施例は、実施例１，２で説明したプロジェクタを複数台設置する際に、容易に設置可能なプロジェクタ構造およびその設置構成について説明する。
【００３５】
表示範囲を広く取りたい場合や連続で広い範囲の表示を行いたい場合、複数台のプロジェクタを所定位置に設置する必要がある。図８は、本実施例におけるプロジェクタを複数台連結する様子を示している。本実施例におけるプロジェクタは、図１でも示したように、連結用凹部１５４を有している。そして、連結用凹部１５４に連結レール３００を挿入することで、プロジェクタは連結レール方向に移動は可能となるが、それと直交する方向への動きが規制される。そのため、プロジェクタを複数台設置する場合に、プロジェクタの左右方向のみの位置調整を行い、前後の位置調整は、１台のプロジェクタの設置箇所を規定するだけで他のプロジェクタの位置調整は不要となり、設置の調整が容易となる。
【００３６】
また、図９に本実施例におけるプロジェクタの連結設置時の背面の斜視図を示す。図９に示すように、プロジェクタの電源３０２、コネクタ３０３に接続される電源ケーブル３０４やケーブル３０５を連結レール３００内に通すことで配線処理が可能となり、すっきりまとめることができる。また、連結レール３００内にケーブル類を通したあとはケーブル蓋３０１で蓋をすることで外観上の見栄えも向上できる。
【００３７】
なお、本実施例では連結用凹部として説明したが、プロジェクタは連結レール方向に移動でき、前後の移動を規制できればよいので、これに限定するものではない。例えば、連結用の穴でも、切欠きでも、凸部でもよい。
【００３８】
また、図８，９では、実施例１でのプロジェクタ１００を用いて説明しているが、実施例２でのプロジェクタ２００でも適用できることは言うまでもない。
【００３９】
以上のように、本実施例によれば、プロジェクタを複数台設置する際に設置位置調整が容易となり、かつ、外観上の見栄えも向上できるという効果がある。
【実施例４】
【００４０】
本実施例は、実施例１，２，３で説明したプロジェクタの設置状態について説明する。
【００４１】
図１０は、コーブ照明に対応した天井９００への投写を行う場合の設置状態断面図を示している。図１０に示すように、間接照明の場合の照明を配置する庇部分にプロジェクタ１００を設置している。本実施例におけるプロジェクタ１００は、高さＨが１９０ｍｍ以下１２０ｍｍ程度、奥行Ｄ１は約９０ｍｍ、Ｄ２は約４０ｍｍ程度であるので、縁高さを考慮して、充分間接照明用の照明配置空間に設置可能である。４００は映像投写範囲である。本体高さＨが低いほど下からの目線の位置から本体が見えにくく、設置性も高い。また、奥行Ｄ２が短いことで本体が見えにくくなる。
【００４２】
図１１は、コーブ照明に対応した天井への投写を行う場合の２台連結した場合の設置状態斜視図を示している。４１０はプロジェクタ１００の横連結設置位置を示しており、図示した庇の裏側に設置されている。この横連結設置は、例えば、実施例３によって２台のプロジェクタを連結設置することで実施できる。４１１は映像投写面１、４１２は映像投写面２を示している。
【００４３】
図１２は、本実施例における折上げ天井部へのプロジェクタ設置状態斜視図である。２台のプロジェクタの映像投写面を「二」の字連結した設置例を示している。４２０、４２１はプロジェクタ１００の設置位置を示しており、図示した天井部分の裏側に設置されている。４２２、４２３はそれぞれのプロジェクタの映像投写面１、２を示している。  
図１３は、本実施例における折上げ天井部へのプロジェクタ設置状態斜視図であり、４台のプロジェクタの映像投写面を「田」の字連結した設置例を示している。４３０、４３１はプロジェクタ１００の横連結設置位置を示しており、図示した天井部分の裏側に設置されている。４３２、４３３、４３４、４３５はそれぞれのプロジェクタの映像投写面１、２、３、４を示している。横連結設置は、例えば、実施例３によって２台のプロジェクタを連結設置することで設置する。
【００４４】
図１４は、コーニス照明に対応した壁９０１への投写を行う場合の設置状態断面図を示している。図１４に示すように、間接照明の場合の照明を配置する天井９００から立ち下がる縁の内側にプロジェクタ１００を設置している。本実施例におけるプロジェクタ１００は、高さＨが１５０ｍｍ以下１２０ｍｍ程度、奥行Ｄ１は約９０ｍｍ、Ｄ２は約４０ｍｍ程度であるので、充分間接照明用の照明配置空間に設置可能である。４４０は映像投写範囲である。本体高さＨが低いほど、下からの目線の位置から本体が見えにくく、設置性も高い。また、奥行Ｄ２が短いことで本体が見えにくくなる。
【００４５】
図１５は、コーニス照明に対応した壁９０１への投写を行う場合の２台連結した場合の設置状態斜視図を示している。４４１はプロジェクタ１００の横連結設置位置を示しており、図示した縁の裏側に設置されている。横連結設置は、例えば、実施例３によって２台のプロジェクタを連結設置することで実施できる。４４２、４４３はそれぞれ映像投写面１、２を示している。
【００４６】
図１６は、間接照明用の照明配置空間から壁への投写を行う他の場合の設置状態断面図を示している。図１６に示すように、間接照明の場合の照明を配置する窪みの内側にプロジェクタ１００を設置している。本実施例におけるプロジェクタ１００は、高さＨが１５０ｍｍ以下１２０ｍｍ程度、奥行Ｄ１は約９０ｍｍ、Ｄ２は約４０ｍｍ程度であるので、充分間接照明用の照明配置空間に設置可能である。４５０は映像投写範囲である。本体高さＨが低いほど、上からの目線の位置から本体が見えにくく、設置性も高い。また、奥行Ｄ２が短いことで本体が見えにくくなる。
【００４７】
図１７は、図１６の場合の設置状態斜視図を示している。４５１はプロジェクタ１００の設置位置を示しており、図示した壁の裏側に設置されている。４５２は映像投写面を示している。
【００４８】
図１８は、間接照明用の照明配置空間から床面９０８への投写を行う場合の設置状態断面図を示している。図１８に示すように、間接照明の場合の照明を配置する窪みの内側にプロジェクタ１００を設置している。本実施例におけるプロジェクタ１００は、高さＨが１５０ｍｍ以下１２０ｍｍ程度、奥行Ｄ１は約９０ｍｍ、Ｄ２は約４０ｍｍ程度であるので、充分間接照明用の照明配置空間に設置可能である。４６０は映像投写範囲である。本体高さＨが低いほど、上からの目線の位置から本体が見えにくく、設置性も高い。また、奥行Ｄ２が短いことで本体が見えにくくなる。
【００４９】
図１９は、図１８の場合の設置状態斜視図を示している。４６１はプロジェクタ１００の設置位置を示しており、図示した壁の裏側に設置されている。４６２、４６３はそれぞれ映像投写面１，２を示している。
【００５０】
図２０は、間接照明用の照明配置空間からではなく、プロジェクタ１００を壁に設置し壁への投写を行う場合の設置状態断面図を示している。図２０に示すように、プロジェクタ１００は、脚部１５３をスライドして、脚部１５３側を壁に設置することで壁への投写を行うことが出来る。
【００５１】
図２１は、図２０の場合の設置状態斜視図を示している。プロジェクタ１００の脚部１５３側を壁に設置することで壁への投写を行い、４７１が映像投写面となる。
【００５２】
図２２は、プロジェクタ１００の設置例として、一般的な机上での設置状態断面図を示している。図２２に示すように、プロジェクタ１００は、脚部１５３をスライドして、脚部１５３側を机上９０９に設置することで机上への投写を行うことが出来る。
【００５３】
図２３は、図２２の机上への投写を行う場合の設置状態斜視図を示している。プロジェクタ１００の脚部１５３側を机上に設置することで机上への投写を行い、４８１が映像投写面となる。
【００５４】
なお、本実施例では、実施例１でのプロジェクタ１００を用いて説明しているが、実施例２でのプロジェクタ２００でも適用できることは言うまでもない。
【実施例５】
【００５５】
本実施例は、実施例１，２，３で説明したプロジェクタを用いた表示の応用例について説明する。
【００５６】
図２４は、プロジェクタを複数台用いて投写する場合、個々のプロジェクタによる案内表示はもちろん、複数のプロジェクタの投写を混合して表示するブレンド機能を使い、全体で１つの映像の表示を行う例を示している。すなわち、図２４に示すように、コーニス照明に対応した壁９０１への投写を行う場合のプロジェクタを複数台連結して５００で示す縁の裏側に設置する。そして５０１で示す映像投写面に、複数のプロジェクタで１つの映像を表示している。このように、複数のプロジェクタの投写で１つの映像の表示を行うことができるので、複雑な表現や様々な演出が可能である。また、例えば、全体の一部のみを定期的に変える場合に全体を変更する必要がない等のメリットもある。
【００５７】
図２５は、床面への投写の場合の、表示例を示している。すなわち、図２５に示すように、プロジェクタを５１０で示す壁の裏側に設置する。そして５１１、５１２で示す映像投写面に、通常の案内表示の他、センサー等で人を感知しＷＥＬＣＯＭＥメッセージを表示したり、緊急時の避難誘導案内の他、光と動画による様々な演出が可能となる。
【００５８】
上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。
【符号の説明】
【００５９】
１００，２００：プロジェクタ、１０１：投写レンズ、１０２：ミラー、１０３、２０３：投写口、１０４：前面、１０５，２０５：窪み、１１０：光学ユニット、１１１：光変調装置、１１２：プリズム、１１３：レンズユニット、１１４：電源部、１１５，２１５：防塵カバー、１１６：窪みを形成する面、１２０：背面、１３０：第１の接地面、１４０：第２の接地面、１５０：操作部、１５１：端子部、１５２：排気口、１５３：脚部、１５４：連結用凹部、２０１，２０２：面、３００：連結レール、３０１：ケーブル蓋、３０２：電源、３０３：コネクタ、３０４：電源ケーブル、３０５：ケーブル、４００，４４０，４５０，４７０，４８０，５１１，５１２：映像投写範囲、４１０，４３０，４３１，４４１，４６１、５００：横連結設置位置、４１１、４１２、４２２，４２３、４３２、４３３、４３４、４３５，４４２，４４３，４５２，４６２，４６３，４７１，４８１，５０１：映像投写面、４２０，４２１，４５１，５１０：設置位置、９００：天井、９０１：壁、９０２：庇の長さ、９０３：照明、９０４：縁の高さ、９０５：縁部分と天井との開口部高さ、９０６：天井から立ち下がる縁の高さ、９０８：床面、９０９：机上
【図１】
0006474676.tif 000002
【図２】
0006474676.tif 000003
【図３】
0006474676.tif 000004
【図４】
0006474676.tif 000005
【図５】
0006474676.tif 000006
【図６】
0006474676.tif 000007
【図７】
0006474676.tif 000008
【図８】
0006474676.tif 000009
【図９】
0006474676.tif 000010
【図１０】
0006474676.tif 000011
【図１１】
0006474676.tif 000012
【図１２】
0006474676.tif 000013
【図１３】
0006474676.tif 000014
【図１４】
0006474676.tif 000015
【図１５】
0006474676.tif 000016
【図１６】
0006474676.tif 000017
【図１７】
0006474676.tif 000018
【図１８】
0006474676.tif 000019
【図１９】
0006474676.tif 000020
【図２０】
0006474676.tif 000021
【図２１】
0006474676.tif 000022
【図２２】
0006474676.tif 000023
【図２３】
0006474676.tif 000024
【図２４】
0006474676.tif 000025
【図２５】
0006474676.tif 000026
【図２６】
0006474676.tif 000027